(57)【要約】【課題】携帯端末装置が載置されている状態で、この携帯端末装置の発熱を効率良く放熱できるようにする。【解決手段】充電台装置１は、携帯電話装置が載置される台座３の近傍に冷却ファン１０を設け、携帯電話装置の載置の検出を条件にＣＰＵは、ファン駆動部を介して冷却ファン１０を駆動して携帯電話装置の発熱を強制放熱する。【選択図】  図1
2007088535.tif 000002
【特許請求の範囲】
【請求項１】
充電式携帯端末装置の載置を検出して当該端末装置にその充電端子を介して充電電流を供給する充電台装置であって、
前記携帯端末装置が載置される台座の近傍に設けられていて当該携帯端末装置からの発熱を強制放熱する放熱部材と、
この放熱部材を駆動する駆動手段と、
前記携帯端末装置の載置の検出を条件に、前記駆動手段に対して放熱開始を指示する制御手段と、
を具備したことを特徴とする充電台装置。
【請求項２】
前記放熱手段は、前記台座の放熱孔形成部に対向して設けられた吸引式冷却ファンであり、この放熱孔形成部を通して前記携帯端末装置の周辺空気を吸引放出することによってその発熱部位を強制冷却する、
ようにしたことを特徴とする請求項1記載の充電台装置。
【請求項３】
前記放熱手段は、前記台座の放熱孔形成部に対向して設けられた送風式冷却ファンであり、この放熱孔形成部を通して前記携帯端末装置に空気を吹き付けることによってその発熱部位を空冷する、
ようにしたことを特徴とする請求項1記載の充電台装置。
【請求項４】
前記制御手段は、前記携帯端末装置の載置の検出を条件とするほか、携帯端末装置の動作状態を判別し、この動作状態に応じて前記駆動手段に放熱開始を指示する、
ようにしたことを特徴とする請求項1記載の充電台装置。
【請求項５】
前記制御手段は、携帯端末装置側で消費されている電流値に基づいて携帯端末装置の動作状態を判別する、
ようにしたことを特徴とする請求項４記載の充電台装置。
【請求項６】
前記携帯端末装置の動作状態は、その電源がオン状態にセットされているかを否かを示す動作状態であり、前記制御手段は、携帯端末装置の電源がオンされている場合に前記駆動手段に対して放熱開始を指示する、
ようにしたことを特徴とする請求項４記載の充電台装置。
【請求項７】
前記携帯端末装置の動作状態は、大電流を要する重負荷が駆動されているか否かを示す動作状態であり、前記制御手段は、携帯端末装置側で重負荷が駆動されている場合に前記駆動手段に対して放熱開始を指示する、
ようにしたことを特徴とする請求項４記載の充電台装置。
【請求項８】
前記制御手段は、携帯端末装置が載置された際に、携帯端末装置側で重負荷が駆動されているか否かを判別し、重負荷が駆動されていれば、前記駆動手段に放熱開始を指示する、
ようにしたことを特徴とする請求項７記載の充電台装置。
【請求項９】
前記制御手段は、携帯端末装置が載置された後であって携帯端末装置側で重負荷の駆動が開始された際に、前記駆動手段に放熱開始を指示する、
ようにしたことを特徴とする請求項７記載の充電台装置。
【請求項１０】
前記制御手段は、携帯端末装置側で重負荷の駆動が終了した際に、前記駆動手段に放熱停止を指示する、
ようにしたことを特徴とする請求項７記載の充電台装置。
【請求項１１】
前記制御手段は、携帯端末装置が載置された後であって携帯端末装置側で動作が開始されてから所定時間経過後に、前記駆動手段に放熱開始を指示する、
ようにしたことを特徴とする請求項４記載の充電台装置。
【請求項１２】
前記制御手段は、携帯端末装置が載置されて充電状態にあるときに前記駆動手段に対して放熱開始を指示し、充電完了を検出したときに放熱終了を指示する、
ようにしたことを特徴とする請求項１記載の充電台装置。
【請求項１３】
コンピュータに対して、
充電式携帯端末装置が載置される台座の近傍に設けられていて当該携帯端末装置からの発熱を強制放熱する放熱部材を駆動する駆動手段に対して前記携帯端末装置の載置の検出を条件に放熱開始を指示する機能と、
を実現させるためのプログラム。
【発明の詳細な説明】
【技術分野】
【０００１】
この発明は、充電式携帯端末装置の載置を検出して当該端末装置にその充電端子を介して充電電流を供給する充電台装置及びプログラムに関する。
【背景技術】
【０００２】
近年、携帯電話装置の高機能化、多機能化、小型化、薄型化などによってその電子部品の発熱が大きな課題となっている。すなわち、携帯電話装置の高機能化及び多機能化などによって消費電力は、益々増大する一方、小型化、薄型化などの影響を受けて電子部品の実装は、益々高密度化され、電子部品の発熱を無視することができなくなってきている。
そこで、従来では、クレードルと呼ばれている充電台に携帯機器が載置された際に、携帯機器の発熱をこのクレードルを介して放熱するようにした技術が知られている（特許文献１参照）。
【特許文献１】特開２００５−０３９０１９号公報
【発明の開示】
【発明が解決しようとする課題】
【０００３】
しかしながら、上述したクレードルは、携帯機器が載置された際に、その接触面のケースを介して背面側に放熱する構造であった。つまり、このクレードルは、携帯機器が充電中に動作状態となっていることを想定していないため、クレードルを介しての放熱はそのケースへの伝熱という消極的な手段を採用しているに過ぎず、大きな放熱効果を期待することはできなかった。
この発明の課題は、携帯端末装置が載置されている状態で、この携帯端末装置の発熱を効率良く放熱できるようにすることである。
【課題を解決するための手段】
【０００４】
請求項１記載の発明は、充電式携帯端末装置の載置を検出して当該端末装置にその充電端子を介して充電電流を供給する充電台装置であって、前記携帯端末装置が載置される台座の近傍に設けられていて当該携帯端末装置からの発熱を強制放熱する放熱部材と、この放熱部材を駆動する駆動手段と、前記携帯端末装置の載置の検出を条件に、前記駆動手段に対して放熱開始を指示する制御手段とを具備したことを特徴とする。
更に、コンピュータに対して、上述した請求項１記載の発明に示した主要機能を実現させるためのプログラムを提供する（請求項１３記載の発明）。
【０００５】
なお、上述した請求項１記載の発明は次ぎのようなものであってもよい。
前記放熱手段は、前記台座の放熱孔形成部に対向して設けられた吸引式冷却ファンであり、この放熱孔形成部を通して前記携帯端末装置の周辺空気を吸引放出することによってその発熱部位を強制冷却する（請求項２記載の発明）。
【０００６】
前記放熱手段は、前記台座の放熱孔形成部に対向して設けられた送風式冷却ファンであり、この放熱孔形成部を通して前記携帯端末装置に空気を吹き付けることによってその発熱部位を空冷する（請求項３記載の発明）。
【０００７】
前記制御手段は、前記携帯端末装置の載置の検出を条件とするほか、携帯端末装置の動作状態を判別し、この動作状態に応じて前記駆動手段に放熱開始を指示する（請求項４記載の発明）。
【０００８】
この請求項４記載の発明は、請求項５〜７記載の発明であってもよい。すなわち、前記制御手段は、携帯端末装置側で消費されている電流値に基づいて携帯端末装置の動作状態を判別するようにしてもよい（請求項５記載の発明）。また、前記携帯端末装置の動作状態は、その電源がオン状態にセットされているかを否かを示す動作状態であり、前記制御手段は、携帯端末装置の電源がオンされている場合に前記駆動手段に対して放熱開始を指示するようにしてもよい（請求項６記載の発明）。また、前記携帯端末装置の動作状態は、大電流を要する重負荷が駆動されているか否かを示す動作状態であり、前記制御手段は、携帯端末装置側で重負荷が駆動されている場合に前記駆動手段に対して放熱開始を指示するようにしてもよい（請求項７記載の発明）。
【０００９】
この請求項７記載の発明は、請求項８〜１０記載の発明であってもよい。すなわち、前記制御手段は、携帯端末装置が載置された際に、携帯端末装置側で重負荷が駆動されているか否かを判別し、重負荷が駆動されていれば、前記駆動手段に放熱開始を指示するようにしてもよい（請求項８記載の発明）。また、前記制御手段は、携帯端末装置が載置された後であって携帯端末装置側で重負荷の駆動が開始された際に、前記駆動手段に放熱開始を指示するようにしてもよい（請求項９記載の発明）。また、前記制御手段は、携帯端末装置側で重負荷の駆動が終了した際に、前記駆動手段に放熱停止を指示するようにしてもよい（請求項１０記載の発明）。
【００１０】
前記制御手段は、携帯端末装置が載置された後であって携帯端末装置側で動作が開始されてから所定時間経過後に、前記駆動手段に放熱開始を指示する（請求項１１記載の発明）。
【００１１】
前記制御手段は、携帯端末装置が載置されて充電状態にあるときに前記駆動手段に対して放熱開始を指示し、充電完了を検出したときに放熱終了を指示する（請求項１２記載の発明）。
【発明の効果】
【００１２】
請求項１記載の発明によれば、携帯端末装置が載置される台座の近傍に放熱部材を設け、携帯端末装置の載置の検出を条件に、放熱部材を駆動して携帯端末装置の発熱を強制放熱するようにしたから、携帯端末装置が載置されている状態でその発熱を効率良く放熱することができ、携帯端末装置の高機能化及び多機能化、実装の高密度化などに伴う発熱対策として有効なものとなる。
【００１３】
請求項２あるいは請求項３記載の発明によれば、上述した請求項１記載の発明と同様の効果を有するほか、台座の放熱孔形成部に対向して設けられた吸引式冷却ファン（送風式冷却ファン）を駆動して携帯端末装置の発熱部位を強制冷却するようにしたから、冷却ファンという簡単かつ安価な放熱手段を設けるだけで確実な強制冷却（空冷）が可能となる。
【００１４】
請求項４記載の発明によれば、上述した請求項１記載の発明と同様の効果を有するほか、携帯端末装置の載置の検出を条件とするほか、携帯端末装置の動作状態を判別し、この動作状態に応じて放熱部材を駆動するようにしたから、携帯端末装置が載置されている充電中に、この携帯端末装置を動作させることで生じる発熱を抑止することが可能となる。
この場合、携帯端末装置側で消費されている電流値に基づいて携帯端末装置の動作状態を判別するようにしたから（請求項５記載の発明）、現在の消費電流に応じて携帯端末装置の動作状態を確実に監視することが可能となる。ここで、携帯端末装置の動作状態は、その電源がオン状態にセットされているかを否かを示し、携帯端末装置の電源がオンされている場合に放熱部材を駆動するようにしてもよい（請求項６記載の発明）。また、携帯端末装置の動作状態は、大電流を要する重負荷が駆動されているか否かを示し、例えば、音楽コンテンツの再生、テレビ放送の受信視聴などのように携帯端末装置側で重負荷が駆動されている場合に放熱部材を駆動するようにしてもよい（請求項７記載の発明）。
【００１５】
この場合、携帯端末装置が載置された際に、携帯端末装置側で重負荷が駆動されているか否かを判別し、重負荷が駆動されていれば、放熱部材を駆動するようにしたから（請求項８記載の発明）、充電前の重負荷駆動による発熱を直ちに放熱することが可能となる。また、携帯端末装置が載置された後であって、携帯端末装置側で重負荷の駆動が開始された際に、放熱部材を駆動するようにしたから（請求項９記載の発明）、充電中の重負荷駆動による発熱を直ちに放熱することが可能となる。また、携帯端末装置側で重負荷の駆動が終了した際に、放熱部材の駆動を停止するようにしたから（請求項１０記載の発明）、放熱部材を必要なときのみ駆動することが可能となり、短時間駆動によって経済的にも有利なものとなる。
【００１６】
請求項１１記載の発明によれば、上述した請求項１記載の発明と同様の効果を有するほか、携帯端末装置が載置された後であって、携帯端末装置側で動作が開始されてから所定時間経過後に、放熱部材を駆動するようにしたから、携帯端末装置の動作によってある程度の熱を発した段階で放熱部材を駆動することができ、短時間駆動によって経済的にも有利なものとなる。
【００１７】
請求項１２記載の発明によれば、上述した請求項１記載の発明と同様の効果を有するほか、携帯端末装置が載置されて充電状態にあるときに放熱部材を駆動し、充電完了を検出したときに放熱部材の駆動を停止するようにしたから、充電に伴う発熱を防止することができると共に、充電完了後も携帯端末装置が載置されたままの状態であっても、放熱部材の駆動を停止することができる。
【発明を実施するための最良の形態】
【００１８】
以下、図１〜図６を参照して本発明の実施例を説明する。
図１は、充電台装置１の外観斜視図であり、図２は、折り畳み式携帯電話装置２を閉じた状態で充電台装置１に載置した場合における充電台装置１の一部断面図であり、図３は、折り畳み式携帯電話装置２を開いて充電台装置１に載置した状態での外観斜視図である。
充電台装置１は、クレードルと呼ばれている携帯電話用の充電器であり、図１に示すように、この充電台装置１の上面側には、携帯電話装置２を載置するための台座３が形成されている。この台座３はその全体が細長で浅底のかご型を成し、その底面は手前に向かって低くなる底部傾斜面４となっている。
【００１９】
この台座３の底部傾斜面４の中心部分には、多数の細孔を集合形成することによって携帯電話装置２の発熱を当該傾斜面４の下側方向に向かって放出するための放熱孔形成部４ａが設けられている。また、この底部傾斜面４の高部側には、一対のスペーサ５ａ、５ｂが配置されている。このスペーサ５ａ、５ｂは、携帯電話装置２が台座３内に載置された際に、携帯電話装置２が底部傾斜面４に密着しないようにそれらの間に隙間を形成するための突起であり、携帯電話装置２の周辺空気は、この隙間及び放熱孔形成部４ａを流通可能となっている。
【００２０】
このスペーサ５ａ、５ｂの反対側、つまり、底部傾斜面４の低部側の近傍には、プラス充電端子６ａ、マイナス充電端子６ｂが設けられている。また、底部傾斜面４の高部側の近傍には、携帯電話装置２側で消費されている現在の消費電流値を検出するためにその消費電流を取り込む電流端子７が設けられていると共に、携帯電話装置２が台座３に載置されたことを検出する載置検出スイッチ８が設けられている。この載置検出スイッチ８は、押しボタン形式のスイッチであり、携帯電話装置２が載置されている間中、ＯＮ（オン）状態となって載置有り検出信号を出力する。
【００２１】
台座３の底部傾斜面４に設けられた放熱孔形成部４ａの下側には、図２に示すように、外部に連通している放熱用の空間部９が形成されており、この放熱用空間部９内において放熱孔形成部４ａと対向する位置には、冷却ファン１０が配置されている。この冷却ファン１０は、例えば、３枚羽根を備えた吸引式のファンであり、携帯電話装置２の周辺空気を放熱孔形成部４ａから吸引して放熱用空間部９を通して外部に放出することにより携帯電話装置２の発熱部位を強制冷却（空冷）するものであるが、吸引式ファンに限らず、送風式ファンであってもよく、外部からの空気を放熱孔形成部４ａから送風して携帯電話装置２に吹き付けることによってその発熱部位を空冷するようにしてもよい。
【００２２】
一方、携帯電話装置２は、２つの筐体が開閉可能に取り付けられた折り畳み式構造で、電話機能、メール機能のほか、インターネット接続機能、音楽コンテンツ・映像コンテンツ再生機能、テレビ放送受信機能などを有し、二次電池を電源として駆動する。そして、この携帯電話装置には、図示省略したが、プラス充電端子及びマイナス充電端子を備えた充電コネクタ部が設けられており、携帯電話装置２が充電台装置１に載置された際に、携帯電話装置２側のプラス充電端子、マイナス充電端子と充電台装置１側のプラス充電端子６ａ、マイナス充電端子６ｂとが電気的に接続される。また、この携帯電話装置２には、図示省略したが、二次電池と負荷との間から引き出されて現在の消費電流を充電台装置１側に供給するための電流端子が設けられており、携帯電話装置２が充電台装置１に載置された際に、携帯電話装置２側の電流端子と充電台装置１側の電流端子７とが電気的に接続される。
【００２３】
図４は、充電台装置１の基本的な構成要素を示したブロック図である。
ＣＰＵ１１は、記憶部１２内の各種のプログラムに応じてこの充電台装置１１の全体動作を制御する中央演算処理装置である。記憶部１２は、不揮発性メモリ(内部メモリ)であり、例えば、フラッシュメモリなどによって構成され、プログラム領域とデータ領域とを有し、このプログラム領域には、後述する図５及び図６に示す動作手順に応じて本実施例を実現するためのプログラムが格納されている。ＡＣアダプタ１３は、そのＡＣプラグ１３ａが交流電源に差し込まれている状態において載置検出スイッチ８がＯＮされると、交流−直流変換を行って所要の直流電圧を充電部１４に与える。充電部１４は、プラス充電端子６ａ、マイナス充電端子６ｂに接続されていて携帯電話装置２側の電源がオフされている状態において空の二次電池を約１２０分で満充電可能なもので、この充電中、充電完了などは充電ランプ１５によって報知される。
【００２４】
電流検出部１６は、電流端子７から供給される消費電流を検出する検出用の低抵抗であり、携帯電話装置２側で現在消費されている消費電流をデジタル値に変換してＣＰＵ１１に与える。ＣＰＵ１１は、電流検出部１６によって得られた消費電流値に基づいて携帯電話装置２側の動作状態を判別する。すなわち、大電流を要する重負荷として、例えば、テレビ放送受信機能、音楽・映像コンテンツ再生機能などが駆動されている状態か、電源がＯＮされている待受け状態か、電源オフ状態かを判別し、この判別結果に基づいてＣＰＵ１１は、ファン駆動部１７に対してその駆動指令を与える。
【００２５】
すなわち、ＣＰＵ１１は、重負荷が駆動している場合には、冷却ファン１０を高速駆動させる“強”駆動指令を与え、待受け状態の場合には、冷却ファン１０を低速駆動させる“弱”駆動指令を与え、また、電源オフ状態の場合には、冷却ファン１０を停止させる駆動停止指令を与える。タイマ１８は、携帯電話装置２が載置されている状態で携帯電話装置２側の電源がＯＮされている待受け状態において、この電源ＯＮからの経過時間を計測する増算タイマであり、このタイマ値が所定値に到達したこと、つまり、電源ＯＮから所定時間の経過したことを条件に、ＣＰＵ１１は、冷却ファン１０を駆動させるようにしている。
【００２６】
次ぎに、この実施例における充電台装置１の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、ＣＤ−ＲＯＭ、ＲＡＭカードなどの記録媒体のほかに、伝送媒体を介して外部供給されたプログラム／データを利用してこの実施例特有の動作を実行することもできる。
【００２７】
図５及び図６は、充電台装置１の台座３に携帯電話装置２が載置されることによって載置検出スイッチ８がＯＮされた際に実行開始される充電台装置１の動作を示したフローチャートである。なお、ＣＰＵ１１は、充電中に携帯電話装置２が充電台装置１から取り外された場合（載置検出スイッチ８がＯＦＦされた場合）には、その時点で充電動作を停止させると共に、冷却ファン１０が駆動されていれば、その駆動を停止させる。
先ず、携帯電話装置２が充電台装置１の台座３に載置されると、載置検出スイッチ８から載置有り検出信号（ＯＮ信号）が出力されるほか、携帯電話装置２側のプラス充電端子、マイナス充電端子と充電台装置１側のプラス充電端子６ａ、マイナス充電端子６ｂとが電気的に接続されると共に、携帯電話装置２側の電流端子と充電台装置１側の電流端子７とが電気的に接続される。
【００２８】
この状態において、ＣＰＵ１１は、充電部１４の動作を開始させて携帯電話装置２側の二次電池を充電し始めると共に（ステップＳ１）、電流検出部１６によって検出された携帯電話装置２側の消費電流値を取得する（ステップＳ２）。そして、この消費電流値に基づいてＣＰＵ１１は、携帯電話装置２側で電流消費が有るか否かを調べる（ステップＳ３）。ここで、電流消費が無ければ（ステップＳ３でＮＯ）、携帯電話装置２側の電源をＯＦＦしたままの状態で載置された場合であると判断して図６のフローに移るが、電流消費が有れば（ステップＳ３でＹＥＳ）、携帯電話装置２側の電源をＯＮしたままの状態で載置された場合であると判断して次ぎのステップＳ４に移り、消費電流値の大小をチェックする。この場合、消費電流値は、例えば、電源がＯＮされている待受け状態で約５ｍＡであるのに対し、テレビ放送受信時には約４００ｍＡであり、テレビ放送受信機能などの重負荷の駆動時には極端に増大する。このように消費電流値の大小に基づいてテレビ機能などの重負荷が駆動されている状態か待受け状態かを判別することが可能となる。
【００２９】
いま、テレビ機能などの重負荷を駆動したままの状態で携帯電話装置２が充電台装置１に載置されているときには（ステップＳ４でＹＥＳ）、ファン駆動部１７に“強”駆動指令を与えて冷却ファン１０を高速駆動させる（ステップＳ５）。この状態において、再び、電流検出部１６によって検出された携帯電話装置２側の消費電流値を取得して（ステップＳ６）、その大小を判別し（ステップＳ７）、消費電流値が“大”で、重負荷駆動のままの状態であれば、充電が完了したか（満充電が行われたか）をチェックする（ステップＳ８）。以下、重負荷駆動の停止あるいは充電完了を検出するまでステップＳ６に戻って待機状態となり、冷却ファン１０の高速駆動（強駆動）をそのまま継続する。
【００３０】
ここで、充電完了が検出されると（ステップＳ８でＹＥＳ）、ファン駆動部１７に“弱”駆動指令を与えて冷却ファン１０を低速駆動させる（ステップＳ９）。つまり、重負荷駆動時に充電が完了した場合には、携帯電話装置２側での発熱は大きく軽減されるため冷却ファン１０を高速駆動から低速駆動に切り替える。そして、検出された消費電流値を取得して（ステップＳ１０）、電流消費の有無を判別するが（ステップＳ１１）、電流消費が有る場合、つまり、重負荷駆動のままであったり、重負荷駆動を停止させて待受け状態に切り替えられた場合には、ステップＳ１０に戻って待機状態となって冷却ファン１０の低速駆動（弱駆動）をそのまま続行させる。また、電流消費が無く、携帯電話装置２側の電源がＯＦＦされたときには（ステップＳ１１でＮＯ）、ファン駆動部１７に駆動停止指令を与えて冷却ファン１０を停止させる（ステップＳ１３）。
【００３１】
また、充電中において重負荷駆動の停止を検出したときには（ステップＳ７でＮＯ）、電流消費の有無を判別し（ステップＳ１２）、電流消費が無く、携帯電話装置２の電源がＯＦＦされたときには（ステップＳ１２でＮＯ）、ファン駆動部１７に駆動停止指令を与えて冷却ファン１０を停止させる（ステップＳ１３）。このように携帯電話装置２側の電源がＯＦＦされた場合には、図６のフローに移り、検出された消費電流値を取得して（ステップＳ１９）、電流消費の有無を判別することによって再び電源がＯＮされたか否かを調べるが（ステップＳ２０）、いま、携帯電話装置２側の電源がＯＦＦのままであれば、ステップＳ１９に戻って待機状態となる。
【００３２】
一方、携帯電話装置２が充電台装置１に載置されたときに電携帯電話装置２側の電源がＯＮされていて待受け状態にある場合、つまり、携帯電話装置２側での消費電流値が“小”の場合には（ステップＳ４でＮＯ）、ファン駆動部１７に“弱”駆動指令を与えて冷却ファン１０を低速駆動させる（ステップＳ１４）。そして、検出された消費電流値を取得して（ステップＳ１５）、その大小を判別する（ステップＳ１６）。いま、消費電流値が小さく、待受け状態のままであれば、充電が完了したか（満充電が行われたか）をチェックし（ステップＳ１７）、以下、消費電流値の変化あるいは充電完了を検出するまでステップＳ１５に戻って待機状態となり、冷却ファン１０の低速駆動（弱駆動）をそのまま継続する。
【００３３】
いま、充電完了を検出すると（ステップＳ１７でＹＥＳ）、ファン駆動部１７に対して駆動停止指令を与え、冷却ファン１０の駆動を停止させる（ステップＳ１３）。つまり、待受け状態中に充電が完了した場合には、携帯電話装置２側での発熱は無視できる程度であるため、冷却ファン１０の駆動を停止させる。また、消費電流値が“小”の待受け状態から変化した場合には（ステップＳ１６でＮＯ）、電流消費の有無を判別する（ステップＳ１８）。いま、消費電流値が“小”の状態から消費電流値が変化して携帯電話装置２側の電源がＯＦＦされた場合、つまり、上述のステップＳ１８で電流消費無しが検出された場合には、上述の場合と同様に冷却ファン１０の駆動を停止させるが（ステップＳ１３）、消費電流値が“小”の状態から消費電流値が変化して“大”の状態に切り替えられた場合、つまり、ステップＳ１８で電流消費有りが検出された場合には、上述のステップＳ５に移り、ファン駆動部１７に“強”駆動指令を与えて冷却ファン１０を高速駆動させる。
【００３４】
他方、携帯電話装置２が充電台装置１に載置されたときに電携帯電話装置２側の電源がＯＦＦされている場合（ステップＳ３でＮＯ）あるいは携帯電話装置２が載置されている状態で電源ＯＦＦ操作によって冷却ファン１０を停止させた場合には（ステップＳ１３）、上述した図６のフローに移り、検出された消費電流値を取得して（ステップＳ１９）、電流消費の有無を判別する（ステップＳ２０）。いま、携帯電話装置２側の電源がＯＮされると、ステップＳ２０で電流消費有りが検出されてステップＳ２１に移り、その大小を判別する。ここで、消費電流値が“大”となってテレビ機能などの重負荷が駆動された場合には（ステップＳ２１でＹＥＳ）、図５のステップＳ５に進み、ファン駆動部１７に“強”駆動指令を与えて冷却ファン１０を高速駆動させる。
【００３５】
また、携帯電話装置２の載置後にその電源がＯＮされたときに消費電流値が小さく、待受け状態のままであれば（ステップＳ２１でＮＯ）、タイマ１８の計時動作を開始させる（ステップＳ２２）。そして、検出された消費電流値を取得して（ステップＳ２３）、その大小を判別し（ステップＳ２４）、消費電流値が小さく、待受け状態のままであれば（ステップＳ２４でＮＯ）、タイマ１８によって計時された値が所定値に到達したか、つまり、電源ＯＮから所定時間が経過したかをチェックし（ステップＳ２５）、所定時間が経過するまでステップＳ２３に戻る。ここで、電源ＯＮから所定時間が経過し、待受け状態の継続が検出された場合には（ステップＳ２５でＹＥＳ）、図５のステップＳ１４に移り、ファン駆動部１７に“弱”駆動指令を与えて冷却ファン１０を低速駆動させる。
【００３６】
また、電源がＯＮされてから所定時間が経過する前に、消費電流値が“小”の待受け状態から変化した場合には（ステップＳ２４でＮＯ）、次ぎのステップＳ２６に移り、電流消費の有無を判別する。いま、消費電流値が“大”となり、テレビ機能などの重負荷が駆動された場合には（ステップＳ２６でＹＥＳ）、タイマ１８をリセットしたのち（ステップＳ２７）、図５のステップＳ５に進み、ファン駆動部１７に“強”駆動指令を与えて冷却ファン１０を高速駆動させる。また、消費電流値が“小”の状態から消費電流値が変化して携帯電話装置２側の電源がＯＦＦされた場合、つまり、上述のステップＳ２６で電流消費無しが検出された場合には、タイマ１８をリセットしたのち（ステップＳ２８）、上述のステップＳ１９に戻り、再び電源がＯＮされるまで待機状態となる。
【００３７】
以上のように、この実施例において充電台装置１は、携帯電話装置２が載置される台座３の近傍に冷却ファン１０を設け、携帯電話装置２の載置の検出を条件にＣＰＵ１１は、ファン駆動部１７を介して冷却ファン１０を駆動して携帯電話装置２の発熱を強制放熱するようにしたから、携帯電話装置２が載置されている状態でその発熱を効率良く放熱することができ、携帯端末装置の高機能化及び多機能化、実装の高密度化などに伴う発熱対策として有効なものとなる。この場合、台座３の放熱孔形成部４ａに対向して設けられた吸引式の冷却ファン１０を駆動して携帯電話装置２の発熱部位を強制冷却するようにしたから、冷却ファン１０という簡単かつ安価な放熱手段を設けるだけで確実な強制冷却（空冷）が可能となる。
【００３８】
ＣＰＵ１１は、携帯電話装置２の載置の検出を条件とするほか、携帯電話装置２の動作状態を判別し、この動作状態に応じて冷却ファン１０を駆動するようにしたから、携帯電話装置２が載置されている充電中に、この携帯電話装置２を動作させることで生じる発熱を抑止することが可能となる。この場合、携帯電話装置２側で消費されている電流値に基づいて携帯電話装置２の動作状態を判別するようにしたから、現在の消費電流に応じて携帯電話装置２の動作状態を確実に監視することが可能となる。ここで、携帯電話装置２の電源がＯＮされている場合には冷却ファン１０を低速駆動させる。また、音楽コンテンツの再生、テレビ放送の受信視聴などのように携帯電話装置２側で重負荷が駆動されている場合には冷却ファン１０を高速駆動させることができる。
【００３９】
この場合、携帯電話装置２が載置された際に、携帯電話装置２側で重負荷が駆動されていれば、冷却ファン１０を駆動するようにしたから、充電前の重負荷駆動による発熱を直ちに放熱することが可能となる。また、携帯電話装置２が載置された後であって、携帯電話装置２側で重負荷の駆動が開始された際に、冷却ファン１０を駆動するようにしたから、充電中の重負荷駆動による発熱を直ちに放熱することが可能となる。また、携帯電話装置２側で重負荷の駆動が終了した際に、冷却ファン１０の駆動を停止するようにしたから、冷却ファン１０を必要なときのみ駆動することが可能となり、短時間駆動によって経済的にも有利なものとなる。
【００４０】
携帯電話装置２が載置された後であって、携帯電話装置２側で動作が開始されてから所定時間経過後に冷却ファン１０を駆動するようにしたから、携帯電話装置２の動作によってある程度の熱を発した段階で冷却ファン１０を駆動することができ、短時間駆動によって経済的にも有利なものとなる。また、携帯電話装置２が載置されて充電状態にあるときに冷却ファン１０を駆動し、充電完了を検出したときに冷却ファン１０の駆動を停止するようにしたから、充電に伴う発熱を防止することができると共に、充電完了後も携帯電話装置２が載置されたままの状態であっても、冷却ファン１０の駆動を停止することができる。
【００４１】
なお、上述した実施例においては、携帯電話装置２が載置されると、携帯電話装置２側の電流端子と充電台装置１側の電流端子７とが接続されると共に、電流検出部１６は、携帯電話装置２側で現在消費されている消費電流を検出してデジタル値に変換し、この消費電流値をＣＰＵ１１に与えるようにしたが、携帯電話装置２側で消費電流をデジタル値に変換して充電台装置１に転送するようにしてもよい。
【００４２】
上述した実施例においては、携帯電話装置２側と充電台装置１側に電流端子を設けたが、充電台装置１側の充電ライン中に電流検出用の低抵抗を設け、この検出電流をデジタル値に変換するようにすれば、携帯電話装置２側の構成を一切変更せず、携帯電話装置２で現在消費されている電流値を充電台装置１側で検出することができる。この場合、例えば、携帯電話装置２側の空の二次電池を充電し始めて約５０分を経過するまではＡＣアダプタ１３の出力電流である６００ｍＡが流れるが、それ以降は徐々に電流が減っていき、約１２０分で満充電となって充電が完了する場合に、５０分以上経過しても６００ｍＡの電流が流れていれば、携帯電話装置２側で電源がＯＮされていることを知ることができると共に、経過時間と電流値に応じてテレビ機能などの重負荷が駆動されているか否かを知ることができる。
【００４３】
上述した実施例においてＣＰＵ１１は、消費電流値の大小に基づいてテレビ機能などの重負荷が駆動されている状態か、電源がＯＮされて待受け状態にセットされているかの２種類の動作状態を判別するようにしたが、消費電流値の大きさに応じて３種類以上の動作状態を判別するようにしてもよい。
【００４４】
上述した実施例においては、１つの冷却ファン１０を設けた場合を例示したが、充電台装置１に複数個の小型冷却ファン１０を設けてもよい。この場合、冷却ファン１０の駆動数を徐々に増したり、減少させるように制御してもよい。
その他、冷却ファン１０によって放熱する対象機器は、携帯電話装置に限らず、例えば、充電式のＰＤＡ、デジタルカメラ、電子腕時計、音楽再生機などの携帯端末装置であってもよい。
【図面の簡単な説明】
【００４５】
【図１】充電台装置１の外観斜視図。
【図２】折り畳み式携帯電話装置２を閉じた状態で充電台装置１に載置した場合における充電台装置１の一部断面図。
【図３】折り畳み式携帯電話装置２を開いて充電台装置１に載置させた状態での外観斜視図。
【図４】充電台装置１の基本的な構成要素を示したブロック図。
【図５】充電台装置１の台座３に携帯電話装置２が載置されることによって載置検出スイッチ８がＯＮされた際に実行開始される充電台装置１の動作を示したフローチャート。
【図６】図５に続く、フローチャート。
【符号の説明】
【００４６】
１  充電台装置
２  携帯電話装置
３  台座
４  底部傾斜面
４ａ  放熱孔形成部
５ａ、５ｂ  スペーサ
６ａ  プラス充電端子
６ｂ  マイナス充電端子
７  電流端子
８  載置検出スイッチ
９  放熱用空間部
１０  冷却ファン
１１  ＣＰＵ
１２  記憶部
１３  ＡＣアダプタ
１４  充電部
１６  電流検出部
１７  ファン駆動部
１８  タイマ
【図１】
2007088535.tif 000003
【図２】
2007088535.tif 000004
【図３】
2007088535.tif 000005
【図４】
2007088535.tif 000006
【図５】
2007088535.tif 000007
【図６】
2007088535.tif 000008